(57)【要約】【課題】両面テープを用いずにフレキシブル基板を所定の位置により確実に固定する。【解決手段】液晶表示装置は、液晶表示パネル１と、液晶用配線基板２６と、光源装置２と、を備え、液晶用配線基板２６は、基端部２６１と、液晶用配線引き回し部２６２と、を有し、光源装置２は、導光板４と、光源１７と、光源用配線基板１６と、を有し、光源用配線基板１６は、光源配設部１６１と、第一延出部１６２と、第二延出部１６６と、を有し、液晶用配線引き回し部２６２は、液晶用配線基板折返方向に沿って折り返され、先端部２６３と第一のガラス基板６との間に導光板４が介在され、第一延出部１６２は第一折返方向に沿って折り返され、第二延出部１６６は第二折返方向に沿って折り返され、第一延出部１６２の先端部１６３及び第二延出部１６６の先端部１６７が液晶用配線引き回し部２６２の先端部２６３に接続されている。【選択図】図１
2011186254.tif 000002
【特許請求の範囲】
【請求項１】
一対の透明基板が液晶層を挟んで対向配置され一方の透明基板に液晶駆動回路が搭載された液晶表示パネルと、
前記一方の透明基板に接続され前記液晶駆動回路に対して信号を出力する液晶用配線が形成された液晶用配線基板と、
前記液晶表示パネルに光を照射する光源装置と、を備える液晶表示装置であって、
前記液晶用配線基板は、前記一方の透明基板に取り付けられた基端部と、前記基端部から第一の方向に沿って引き出され前記液晶用配線が引き回された液晶用配線引き回し部と、を有し、
前記光源装置は、前記液晶表示パネルに対向する導光板と、前記導光板の光入射面に対向配置された光源と、前記光源を駆動するための信号を前記光源に出力する光源用配線が形成された光源用配線基板と、を有し、
前記光源用配線基板は、前記光源が設けられた光源配設部と、前記第一の方向に対して傾いた一の向きに前記光源配設部から延出された第一延出部と、前記第一の方向に対して傾いて且つ前記一の向きと異なる他の向きに前記光源配設部から延出された第二延出部と、を有し、
前記液晶用配線引き回し部は、液晶用配線基板折返方向に沿って折り返され、前記液晶用配線引き回し部の先端部と前記一方の透明基板との間に前記導光板が介在されており、
前記第一延出部は、前記第一の方向と異なる第一折返方向に沿って折り返され、前記第一延出部の先端部が前記液晶用配線引き回し部の先端部に接続され、
前記第二延出部は、前記第一の方向と異なる第二折返方向に沿って折り返され、前記第二延出部の先端部が前記液晶用配線引き回し部の先端部に接続されていることを特徴とする液晶表示装置。
【請求項２】
前記一の向きと前記他の向きとは、互いに逆向きであることを特徴とする請求項１に記載の液晶表示装置。
【請求項３】
前記一の向きと前記他の向きとは、前記第一の方向に関して互いに線対称であることを特徴とする請求項１又は２に記載の液晶表示装置。
【請求項４】
前記液晶用配線基板折返方向は前記第一の方向と平行であることを特徴とする請求項１から３の何れか一項に記載の液晶表示装置。
【請求項５】
前記一の向きは前記第一折返方向と平行であることを特徴とする請求項１から４の何れか一項に記載の液晶表示装置。
【請求項６】
前記一の向き及び前記他の向きは、前記導光板の面方向に平行であることを特徴とする請求項１から５の何れか一項に記載の液晶表示装置。
【請求項７】
前記光源は複数の光源を含み、前記複数の光源は全て同じ向きに光を射出するように光射出面が設けられていることを特徴とする請求項１から６の何れか一項に記載の液晶表示装置。
【請求項８】
前記液晶用配線引き回し部の先端部には、前記第一延出部の先端部が挿通される第一被挿通部が設けられ、
前記第一延出部の先端部には、前記第一被挿通部に係止される係止部が設けられ、
前記液晶用配線基板と前記光源用配線基板とが接続された状態において、前記係止部が前記第一被挿通部に係止されていることを特徴とする請求項１から７の何れか一項に記載の液晶表示装置。
【請求項９】
前記第一延出部の前記先端部には前記液晶用配線引き回し部に取り付けられる接続部が形成され、
前記接続部の前記第一の方向の長さが、前記第一延出部の先端部の前記第一の方向の長さよりも長いことを特徴とする請求項１から８の何れか一項に記載の液晶表示装置。
【請求項１０】
前記液晶用配線引き回し部の先端部には前記接続部が挿入される被接続部が設けられ、
前記液晶用配線基板と前記光源用配線基板とが接続された状態において、前記接続部が前記被接続部に挿入されていることを特徴とする請求項９に記載の液晶表示装置。
【請求項１１】
前記光源装置を内部に収容する筐体を更に備え、
前記筐体は、前記光源装置のうち前記液晶表示パネルが配置された側とは反対側を覆う底板と、該底板から立設され前記光源装置の側方を覆う複数の側板と、を有し、
前記液晶用配線基板と前記光源用配線基板とが接続された状態において、前記液晶用配線引き回し部の先端部と前記導光板との間に前記底板が介在されていることを特徴とする請求項１から１０の何れか一項に記載の液晶表示装置。
【請求項１２】
前記複数の側板のうち１つには、前記第一延出部が挿通される第二被挿通部が設けられ、
前記液晶用配線基板と前記光源用配線基板とが接続された状態において、前記第一延出部が前記第二被挿通部に挿通されていることを特徴とする請求項１１に記載の液晶表示装置。
【請求項１３】
前記第一延出部又は前記第二延出部の少なくとも一方に前記光源用配線が引き回されていることを特徴とする請求項１から１２の何れか一項に記載の液晶表示装置。
【請求項１４】
前記一方の透明基板は矩形状に形成され、
前記一方の透明基板の４つの縁辺のうち一の縁辺に沿って前記液晶駆動回路が設けられており、
前記第一折返方向及び前記第二折返方向は前記一の縁辺と平行であり、
前記第一の方向は前記一の縁辺と直交することを特徴とする請求項１から１３の何れか一項に記載の液晶表示装置。
【請求項１５】
前記液晶用配線引き回し部は前記一の縁辺を横切るように前記基端部から引き出され、
前記第一延出部及び前記第二延出部は前記一の縁辺と隣接する２つの縁辺をそれぞれ横切るように前記光源配設部から延出されていることを特徴とする請求項１４に記載の液晶表示装置。
【発明の詳細な説明】
【技術分野】
【０００１】
本発明は、液晶表示装置に関する。
【背景技術】
【０００２】
特許文献１には、メインフレキシブル配線基板を液晶モジュールの下辺から引き出して背面沿いに１８０°折り曲げるとともに、帯状のライト用フレキシブル配線基板を液晶モジュールの一側辺から引き出して引き出し部分を背面沿いに１８０°折り曲げ、その端部をメインフレキシブル配線基板に接続した液晶モジュールが開示されている。
【先行技術文献】
【特許文献】
【０００３】
【特許文献１】特開２００８−２９９１５０号公報
【発明の概要】
【発明が解決しようとする課題】
【０００４】
従来の液晶表示装置によれば、ライト用フレキシブル配線基板がメインフレキシブル配線基板の一側辺のみを跨った状態で、メインフレキシブル配線基板に接続されているので、メインフレキシブル配線基板を所定の位置に固定する力が弱いという問題があった。これに対してメインフレキシブル配線基板を両面テープ等で固定する方法もあるが、液晶表示装置の厚みが増大してしまうので好ましくない。
【０００５】
そこで本発明の課題は、両面テープを用いずにフレキシブル配線基板を所定の位置により確実に固定することを目的とする。
【課題を解決するための手段】
【０００６】
以上の課題を解決するため、本発明の一態様によれば、
一対の透明基板が液晶層を挟んで対向配置され一方の透明基板に液晶駆動回路が搭載された液晶表示パネルと、
前記一方の透明基板に接続され前記液晶駆動回路に対して信号を出力する液晶用配線が形成された液晶用配線基板と、
前記液晶表示パネルに光を照射する光源装置と、を備える液晶表示装置であって、
前記液晶用配線基板は、前記一方の透明基板に取り付けられた基端部と、前記基端部から第一の方向に沿って引き出され前記液晶用配線が引き回された液晶用配線引き回し部と、を有し、
前記光源装置は、前記液晶表示パネルに対向する導光板と、前記導光板の光入射面に対向配置された光源と、前記光源を駆動するための信号を前記光源に出力する光源用配線が形成された光源用配線基板と、を有し、
前記光源用配線基板は、前記光源が設けられた光源配設部と、前記第一の方向に対して傾いた一の向きに前記光源配設部から延出された第一延出部と、前記第一の方向に対して傾いて且つ前記一の向きと異なる他の向きに前記光源配設部から延出された第二延出部と、を有し、
前記液晶用配線引き回し部は、液晶用配線基板折返方向に沿って折り返され、前記液晶用配線引き回し部の先端部と前記一方の透明基板との間に前記導光板が介在されており、
前記第一延出部は、前記第一の方向と異なる第一折返方向に沿って折り返され、前記第一延出部の先端部が前記液晶用配線引き回し部の先端部に接続され、
前記第二延出部は、前記第一の方向と異なる第二折返方向に沿って折り返され、前記第二延出部の先端部が前記液晶用配線引き回し部の先端部に接続されていることを特徴とする液晶表示装置が提供される。
【０００７】
上記液晶表示装置において、好ましくは、前記一の向きと前記他の向きとは、互いに逆向きである。
上記液晶表示装置において、好ましくは、前記一の向きと前記他の向きとは、前記第一の方向に関して互いに線対称である。
上記液晶表示装置において、好ましくは、前記液晶用配線基板折返方向は前記第一の方向と平行である。
上記液晶表示装置において、好ましくは、前記一の向きは前記第一折返方向と平行である。
上記液晶表示装置において、好ましくは、前記一の向き及び前記他の向きは、前記導光板の面方向に平行である。
上記液晶表示装置において、好ましくは、前記光源は複数の光源を含み、前記複数の光源は全て同じ向きに光を射出するように光射出面が設けられている。
上記液晶表示装置において、好ましくは、前記液晶用配線引き回し部の先端部には、前記第一延出部の先端部が挿通される第一被挿通部が設けられ、
前記第一延出部の先端部には、前記第一被挿通部に係止される係止部が設けられ、
前記液晶用配線基板と前記光源用配線基板とが接続された状態において、前記係止部が前記第一被挿通部に係止されている。
上記液晶表示装置において、好ましくは、前記第一延出部の前記先端部には前記液晶用配線引き回し部に取り付けられる接続部が形成され、
前記接続部の前記第一の方向の長さが、前記第一延出部の先端部の前記第一の方向の長さよりも長い。
上記液晶表示装置において、好ましくは、前記液晶用配線引き回し部の先端部には前記接続部が挿入される被接続部が設けられ、
前記液晶用配線基板と前記光源用配線基板とが接続された状態において、前記接続部が前記被接続部に挿入されている。
上記液晶表示装置において、好ましくは、前記光源装置を内部に収容する筐体を更に備え、
前記筐体は、前記光源装置のうち前記液晶表示パネルが配置された側とは反対側を覆う底板と、該底板から立設され前記光源装置の側方を覆う複数の側板と、を有し、
前記液晶用配線基板と前記光源用配線基板とが接続された状態において、前記液晶用配線引き回し部の先端部と前記導光板との間に前記底板が介在されている。
上記液晶表示装置において、好ましくは、前記複数の側板のうち１つには、前記第一延出部が挿通される第二被挿通部が設けられ、
前記液晶用配線基板と前記光源用配線基板とが接続された状態において、前記第一延出部が前記第二被挿通部に挿通されている。
上記液晶表示装置において、好ましくは、前記第一延出部又は前記第二延出部の少なくとも一方に前記光源用配線が引き回されている。
上記液晶表示装置において、好ましくは、前記一方の透明基板は矩形状に形成され、
前記一方の透明基板の４つの縁辺のうち一の縁辺に沿って前記液晶駆動回路が設けられており、
前記第一折返方向及び前記第二折返方向は前記一の縁辺と平行であり、
前記第一の方向は前記一の縁辺と直交する。
上記液晶表示装置において、好ましくは、前記液晶用配線引き回し部は前記一の縁辺を横切るように前記基端部から引き出され、
前記第一延出部及び前記第二延出部は前記一の縁辺と隣接する２つの縁辺をそれぞれ横切るように前記光源配設部から延出されている。
【発明の効果】
【０００８】
本発明によれば、両面テープを用いずともフレキシブル配線基板を所定の位置により確実に固定することができる。
【図面の簡単な説明】
【０００９】
【図１】本発明の第１の実施形態に係る液晶表示装置の正面斜視図である。
【図２】液晶表示装置の背面斜視図である。
【図３】図１に示されたIII-III線に沿った面の矢視断面図である。
【図４】液晶表示装置の配線基板の固定部分を示した斜視図である。
【図５】液晶表示装置の配線基板の固定前の状態を示す正面斜視図である。
【図６】第２の実施形態に係る液晶表示装置の配線基板の固定部分を示した斜視図である。
【発明を実施するための形態】
【００１０】
以下に、本発明を実施するための形態について図面を用いて説明する。ただし、以下に述べる実施形態には、本発明を実施するために技術的に好ましい種々の限定が付されているが、発明の範囲を以下の実施形態及び図示例に限定するものではない。
【００１１】
＜第１の実施の形態＞
まず、本発明の第１の実施形態について図１〜４を参照して説明する。
図１は本実施形態に係る液晶表示装置１００の正面斜視図であり、図２は液晶表示装置１００の背面斜視図であり、図３は図１におけるIII-III線に沿った面の矢視断面図であり、図４は液晶表示装置１００の液晶用配線基板２６及び第一延出部１６２の固定部分を示した斜視図である。
【００１２】
液晶表示装置１００は、液晶表示パネル１、光源装置２、液晶用配線基板２６及び筺体３等を備える。
筺体３は、内部に液晶表示パネル１及び光源装置２等を収容する略箱型部材である。筺体３は底板３１の正面縁部に側板３２，３３，３４が立設されて構成されており、正面が開口され、且つ４つの側面のうちの一つが開口されている。これにより液晶表示パネル１の観察側を筺体３の正面から露出させることができるとともに、液晶表示パネル１の一辺に接続された液晶用配線基板２６を筺体３の側面から露出させることができる。側板３２，３４にはそれぞれ、その厚さ方向に貫通する矩形状の挿通孔（第二被挿通部）３５，３５が形成されている。
なお、筺体３の４つの側面のうちの一つにおいて開口を設ける代わりに、液晶用配線基板２６を露出させる際の妨げにならない程度に高さを低くした側板が立設されていてもよく、孔が設けられた側板に液晶用配線基板２６を挿通し露出させてもよい。
【００１３】
液晶表示パネル１は、アクティブマトリクス方式のもので、予め定めた間隙を設けて、矩形状の第一のガラス基板（一方の透明基板）６の正面と矩形状の第二のガラス基板７の背面が対向配置されて構成されている。液晶表示パネル１は、第一のガラス基板６と第二のガラス基板７との間隙に液晶層（図示省略）を挟んで構成されている。第一のガラス基板６と第二のガラス基板７の互いに向き合う内面には、第一と第二の透明電極（図示省略）が設けられている。第一と第二の透明電極は、電圧の印加により液晶層の液晶分子の配向状態を変化させて光の透過を制御する複数の画素をマトリクス状に形成している。また、観察側の第二のガラス基板７の正面には偏光板２３が貼り付けられている。他方、背面側の第一のガラス基板６の背面には偏光板２４が貼り付けられている。また、背面側の第一のガラス基板６には、観察側の第二のガラス基板７から張り出す張出部６１が形成されている。張出部６１には、上記の透明電極間に駆動電圧を印加するための液晶駆動回路２５が搭載されている。第一のガラス基板６の４つの縁辺のうち液晶駆動回路２５が配置された一の縁辺と平行な方向を第二の方向Ｙとし、一の縁辺に隣接する２つの縁辺と平行な方向を第一の方向Ｘとする。
【００１４】
また、張出部６１には液晶用配線基板２６が取り付けられている。液晶用配線基板２６は、外部回路からの制御信号を液晶駆動回路２５に出力する液晶用配線が形成されたフレキシブル基板である。液晶用配線基板２６は、基端部２６１と、液晶用配線が引き回された液晶用配線引き回し部２６２と、を有する。基端部２６１が張出部６１に取り付けられることで、液晶用配線基板２６が第一のガラス基板６に接続されている。液晶用配線引き回し部２６２は基端部２６１に連続して設けられている。液晶用配線引き回し部２６２は第一の方向Ｘに平行な方向に引き出されて湾曲し、液晶表示装置１００の側方及び背面側に配置されている。液晶用配線引き回し部２６２の先端部２６３は、図２に示すように液晶表示装置１００の背面側に配置され、筺体３の底板３１の背面に沿って固定されている。液晶用配線引き回し部２６２の先端部２６３とは、液晶用配線引き回し部２６２のうち、上述の基端部２６１と隣接した側とは反対側の端部のことをいう。そして先端部２６３において、底板３１に対向する面の反対側の面には、二つのコネクタ（被接続部）２８，２９が設けられている。先端部２６３の第一の方向Ｘに平行な一方の側縁２６４において、コネクタ２８の近傍には切り欠き（第一被挿通部）２７１が形成されている。切り欠き２７１は、側縁２６４を下方としたＴ字型に形成され、太幅部２７２と細幅部２７３とを有する（図４参照）。太幅部２７２の幅は第一延出部１６２の幅とほぼ等しく、細幅部２７３の幅よりも大きい。同様に、先端部２６３の第一の方向Ｘに平行なもう一方の側縁２６５において、コネクタ２９の近傍には切り欠き（第一被挿通部）２７４が形成されている。切り欠き２７４は、側縁２６５を下方としたＴ字型に形成され、太幅部２７５と細幅部２７６とを有する。太幅部２７５の幅は第二延出部１６６の幅とほぼ等しく、細幅部２７６の幅よりも大きい。
なお、切り欠き２７１，２７４は、側縁２６４，２６５においてコネクタ２８，２９の近傍に形成された孔であってもよい。
【００１５】
光源装置２は、液晶表示パネル１に光を照射するものであり、液晶表示パネル１の背後、即ち液晶表示パネル１の観察側とは反対側に配置されている（図３参照）。光源装置２は、液晶表示パネル１に対向する導光板４と、導光板４に光を供給する光源１７と、光源１７を駆動するための信号を光源１７に出力する光源用配線が形成された光源用配線基板１６と、を備えて構成されている。この他にも光源装置２は、反射シート１１、光学シート４１，４２，４３、遮光シート１２及びフレーム８０等を備えている。
【００１６】
導光板４は、透明部材により矩形板状に形成されている。導光板４の正面には光出射面４４が形成されており、光出射面４４は液晶表示パネル１に対向している。導光板４の側面の一つには、光源１７からの光が入射する光入射面４７が形成されている。また、導光板４の面方向は、第一の方向Ｘ及び第二の方向Ｙに平行である。
【００１７】
光源用配線基板１６は、導光板４の正面のうち光入射面４７が形成された一辺部に両面テープ１８を介して取り付けられている。光源用配線基板１６は、光源配設部１６１と、第一延出部１６２と、第二延出部１６６と、を有する。光源配設部１６１には光源１７が取り付けられている。第一延出部１６２及び第二延出部１６６は光源配設部１６１から延出して設けられ、光源１７を駆動するための光源用配線が引き回されたフレキシブル基板である。図１及び図２に示すように、第一延出部１６２及び第二延出部１６６は帯状に形成され、その幅が上述の太幅部２７２，２７５の幅とほぼ等しい。これら第一延出部１６２及び第二延出部１６６は第二の方向Ｙに沿って互いに逆向きに延出し、筺体３に形成された挿通孔３５，３５にそれぞれ挿通して筺体３の外側に引き出されている。そして第一延出部１６２及び第二延出部１６６は第一折返方向及び第二折返方向に沿ってそれぞれ液晶表示装置１００の背面側に折り返されている。本実施形態では、第一折返方向及び第二折返方向はいずれも第二の方向Ｙと平行であり、第一の方向Ｘとは異なる方向である。
なお、第一延出部１６２及び第二延出部１６６のうち一方が、光源用配線が引き回されていないダミー基板であってもよい。
【００１８】
図２に示すように、第一延出部１６２は側板３２及び底板３１に沿って設けられ、その先端部１６３が液晶表示装置１００の背面側に設けられている。先端部１６３は、液晶用配線基板２６の側縁２６４と底板３１との間を通過して、切り欠き２７１の太幅部２７２に挿通されている。先端部１６３の端部には第一の接続部１６４が形成され、コネクタ２８に取り付けられている。先端部１６３において切り欠き２７１に対応する箇所には、先端部１６３の側縁からその幅方向に延出する係止部１６５が形成されている。つまり第一延出部１６２の幅は、係止部１６５が設けられた位置において、その他の位置における幅よりも大きく形成されているので、係止部１６５が太幅部２７２に係止されている。即ち、係止部１６５が設けられた位置における第一延出部１６２の幅が、第一延出部１６２の先端部１６３のうち係止部１６５が設けられていない位置における第一延出部１６２よりも、第一の方向Ｘに沿って長く形成されている。ここで、第一延出部１６２及び第二延出部１６６の幅方向（図４における第二の方向Ｙと平行な方向）とは、各延出部１６２，１６６が延在する方向（図４における第一の方向Ｘと平行な方向）と直交する方向のことをいう。
【００１９】
第二延出部１６６は側板３４及び底板３１に沿って設けられ、その先端部１６７が液晶表示装置１００の背面側に設けられている。先端部１６７は、液晶用配線基板２６の側縁２６５と底板３１との間を通過して、切り欠き２７４の太幅部２７５に挿通されている。先端部１６７の端部には第二の接続部１６８が形成され、コネクタ２９に取り付けられている。先端部１６７において切り欠き２７４に対応する箇所には、先端部１６７の側縁からその幅方向に延出する係止部１６９が形成されている。つまり第二延出部１６６の幅は、係止部１６９が設けられた位置において、その他の位置における幅よりも大きく形成されているので、係止部１６９が太幅部２７５に係止されている。
【００２０】
図３に示す光源１７は、導光板４に光を供給する部材である。光源１７は導光板４の光入射面４７に対向して配置され、その対向面には光射出面１７１が形成されている。光源１７から照射された光は光入射面４７から導光板４内に入射し、光出射面４４から導光板４の正面方向へ出射される。
なお、光源１７は複数設けられていてもよく、その場合には複数の光源１７は全て同じ向きに光を射出するように光射出面１７１が設けられている。
【００２１】
反射シート１１は、導光板４の背面側に対向配置され、導光板４の背面から出射される光を導光板４の内側へと反射するものである。
【００２２】
光学シート４１，４２，４３は、正面視略矩形状に形成されていて、導光板４の光出射面４４上に積層されている。ここで、光出射面４４の直上の光学シート４１は、光出射面４４からの出射光を拡散させて輝度を均一にする光散乱シートである。また、光学シート４２，４３はそれぞれ一方の面に平坦面が形成され、他方の面に多数の微細な線状のプリズムが形成されたプリズムシートである。光学シート４２，４３は、平坦面が導光板４側を向くように配置され、線状プリズムが互いに直交する異なる方向に沿って配置されている。
【００２３】
遮光シート１２は、正面視略ロ字型に形成されていて、光学シート４３の正面の周縁部を囲んで光学シート４３の周縁から光が漏れることを防止するものである。遮光シート１２は、液晶表示パネル１の偏光板２４と、光学シート４３とにより挟持された状態で、フレーム８０により支持されている。遮光シート１２は液晶表示パネル１及びフレーム８０に両面テープにより固定されていてもよい。
【００２４】
フレーム８０は、反射シート１１、導光板４、光学シート４１，４２，４３及び遮光シート１２を収容する正面視略コ字型に形成された樹脂部材である。フレーム８０はコ字型の開口を光源１７側に向けて配置されている。フレーム８０の内周面には、内側に向かって延出する延出部８２が形成されている。延出部８２によって遮光シート１２等が支持されている。
なお、フレーム８０はロ字型に形成された枠状の樹脂部材であってもよい。その場合、フレーム８０の４つの辺部のうちの一つは液晶用配線基板２６を露出させる際の妨げにならない程度に高さを低くしておくことが望ましい。
【００２５】
続いて図１〜５を参照して、本実施形態における配線基板の固定方法について説明する。
図５は、液晶用配線基板２６及び光源用配線基板１６の固定前の状態を示した液晶表示装置１００の斜視図である。筺体３の側面のうちの一つが開口しているため、基端部２６１から引き出された液晶用配線引き回し部２６２は、第一のガラス基板６のうち液晶駆動回路２５が配置された一の縁辺を横切って、第一の方向Ｘに沿って筺体３の外側に引き出されている。第一延出部１６２及び第二延出部１６６は、第一のガラス基板６のうち液晶駆動回路２５が配置された一の縁辺に隣接する他の縁辺を横切り、側板３２，３４に形成された挿通孔３５を通って、第二の方向Ｙに沿って互いに逆向きに筺体３の外側に引き出されている。即ち、第一延出部１６２は所定の向きＡに沿って引き出され、第二延出部１６６は向きＡと反対向きである向きＢに沿って引き出されている。
【００２６】
まず、図１及び図２に示すように、引き出された液晶用配線引き回し部２６２を液晶用配線基板折返方向に沿って液晶表示装置１００の背面側に折り返す。これにより液晶用配線引き回し部２６２が湾曲し、液晶表示装置１００のうち一の縁辺に沿った側面を覆うようにして、その先端部２６３が液晶表示装置１００の背面側に配置される。本実施形態では、液晶用配線基板折返方向は第一の方向Ｘと平行である。図２に示すように、先端部２６３は底板３１に沿って配置される。したがって図３に示すように、導光板４が先端部２６３と第一のガラス基板６との間に介在され、筺体３の底板３１が先端部２６３と導光板４との間に介在される。液晶用配線引き回し部２６２は折り返された状態になっているため、液晶用配線引き回し部２６２には、先端部２６３が底板３１から離れる方向に浮き上がる反力が生じている。
【００２７】
続いて、図１及び図２に示すように、第一延出部１６２及び第二延出部１６６を第二の方向Ｙに沿って液晶表示装置１００の背面側に折り返す。
折り返された第一延出部１６２を側板３２及び底板３１に沿って配置し、その先端部１６３を液晶用配線基板２６の切り欠き２７１の内側を通して液晶用配線引き回し部２６２の先端部２６３に重ねる（図４参照）。そして先端部１６３に設けられた第一の接続部１６４をコネクタ２８に接続する。これにより、第一延出部１６２が液晶用配線引き回し部２６２に固定されるとともに、液晶用配線引き回し部２６２の側縁２６４側が固定される。したがって、液晶用配線引き回し部２６２の先端部２６３の浮き上がりが抑制される。また第一延出部１６２に形成された係止部１６５の幅は、切り欠き２７１の太幅部２７２の幅よりも大きいため、係止部１６５は太幅部２７２に係止される。これにより液晶用配線引き回し部２６２の側縁２６４及び第一延出部１６２がより確実に固定される。
【００２８】
同様に、図２に示すように、折り返された第二延出部１６６を側板３４及び底板３１に沿って配置し、その先端部１６７を液晶用配線基板２６の切り欠き２７４の内側を通して液晶用配線引き回し部２６２の先端部２６３に重ねる。そして先端部１６７に設けられた第二の接続部１６８をコネクタ２９に接続する。これにより、第二延出部１６６は液晶用配線引き回し部２６２に固定されるとともに、液晶用配線引き回し部２６２の側縁２６５側が固定される。したがって、液晶用配線引き回し部２６２の先端部２６３の浮き上がりが抑制される。また第二延出部１６６に形成された係止部１６９の幅は、切り欠き２７４の太幅部２７５の幅よりも大きいため、係止部１６９は太幅部２７５に係止される。これにより液晶用配線引き回し部２６２の側縁２６５及び第二延出部１６６がより確実に固定される。
【００２９】
以上、本実施形態によれば、折り返された液晶用配線引き回し部２６２の先端部２６３が、これに直交して折り返された第一延出部１６２及び第二延出部１６６に両側から固定されているので、液晶用配線引き回し部２６２の浮き上がりを抑制できる。これにより液晶用配線引き回し部２６２の固定に両面テープ等の固定手段を省くことができ、液晶表示装置１００の厚みを減少させることができるとともに、製造コストや製造工程数を低減できる。また、液晶用配線基板２６と光源用配線基板１６との固定に両面テープ等の固定手段を設けないためリサイクル性が良い。
【００３０】
なお、上述したような効果が得られる場合は、液晶用配線引き回し部２６２が引き出される方向は第一の方向Ｘに必ずしも平行でなくともよく、第一延出部１６２及び第二延出部１６６が延出されて引き出される方向は第二の方向Ｙに必ずしも平行でなくともよい。
また、引き出された液晶用配線引き回し部２６２を第一の方向Ｘに沿って液晶表示装置１００の背面側に折り返す場合、液晶用配線基板折返方向は、液晶用配線引き回し部２６２が引き出される方向と必ずしも平行でなくともよい。即ち、液晶用配線引き回し部２６２を折り返す方向は、第一の方向Ｘと必ずしも平行でなくともよく、上述したような効果が得られる場合は第一の方向Ｘとずれていてもよい。同様に、引き出された第一延出部１６２及び第二延出部１６６を第二の方向Ｙに沿って液晶表示装置１００の背面側に折り返す場合、折り返す方向は、第一延出部１６２及び第二延出部１６６がそれぞれ延出されて引き出される方向と必ずしも平行でなくてもよい。即ち、第一延出部１６２及び第二延出部１６６を折り返す方向は、第二の方向Ｙと必ずしも平行でなくともよく、上述したような効果が得られる場合は第二の方向Ｙとずれてもよい。
更に、第一延出部１６２が延出されて引き出される方向と第二延出部１６６が延出されて引き出される方向とは必ずしも平行でなくともよい。即ち、第一延出部１６２が引き出される向きＡと第二延出部１６６が引き出される向きＢとは互いに厳密に反対向きでなくともよい。上述したような効果が得られる場合は、第一延出部１６２が第一の方向Ｘに対して傾いた所定の向きＡに光源配設部１６１から延出されて引き出され、第二延出部１６６が第一の方向Ｘに対して傾いていて且つ所定の向きＡと異なる他の向きＢに光源配設部１６１から延出されて引き出されていてもよい。この場合、向きＡと向きＢとが第一の方向Ｘに関して互いに線対称とすれば、液晶用配線引き回し部２６２の浮き上がりをより安定して抑制することができる。
また更に、上述したような効果が得られる場合は、第一延出部１６２が折り返される方向である第一折返方向と第一延出部１６２が延出されて引き出される向きＡとは必ずしも平行でなくともよく、第二延出部１６６が折り返される方向である第二折返方向と第二延出部１６６が延出されて引き出される向きＢとは必ずしも平行でなくともよい。
【００３１】
＜第２の実施の形態＞
続いて本発明の第２の実施の形態について図６を参照して説明する。第１の実施形態における表示装置に対応する箇所については説明を省略する。
【００３２】
図６は、液晶表示装置１００Ａにおける液晶用配線基板２６ａと光源用配線基板１６ａの取り付け箇所を示した斜視図である。
第２の実施形態においては係止部１６５及び切り欠き２７１が設けられていない。その代わりにコネクタ２８ａ及び接続部１６４ａの幅が、第一延出部１６２ａの先端部１６３ａのうち接続部１６４ａを除く部分の幅よりも広く形成されている。即ち、コネクタ２８ａ及び接続部１６４ａの幅が、第一延出部１６２ａの先端部１６３ａのうち接続部１６４ａを除く部分よりも、第一の方向Ｘに沿って長く形成されている。
【００３３】
これにより本実施形態によれば、液晶用配線引き回し部２６２の先端部２６３を第一の方向Ｘにおいて広く押さえることができるので、液晶用配線引き回し部２６２の浮き上がりを抑制することができる。
なお、本実施形態に第１の実施形態を組み合わせたものであってもよい。
【符号の説明】
【００３４】
１  液晶表示パネル
２  光源装置
３  筺体
４  導光板
６  ガラス基板（一方の透明基板）
７  ガラス基板
１６  光源用配線基板
１７  光源
２５  液晶駆動回路
２６  液晶用配線基板
２８  コネクタ（被接続部）
２９  コネクタ（被接続部）
３１  底板
３２  側板
３３  側板
３４  側板
３５  挿通孔（第二被挿通部）
４７  光入射面
６１  張出部
１００  液晶表示装置
１６１  光源配設部
１６２  第一延出部
１６３  先端部
１６４  第一の接続部
１６５  係止部
１６６  第二延出部
１６７  先端部
１６８  第二の接続部
１６９  係止部
１７１  光射出面
２６１  基端部
２６２  液晶用配線引き回し部
２６３  先端部
２７１  切り欠き（第一被挿通部）
２７４  切り欠き（第一被挿通部）
【図１】
2011186254.tif 000003
【図２】
2011186254.tif 000004
【図３】
2011186254.tif 000005
【図４】
2011186254.tif 000006
【図５】
2011186254.tif 000007
【図６】
2011186254.tif 000008